(57)【要約】【課題】容器を起立させた状態で保持することが可能な構造を備えるホルダを提供する。【解決手段】容器を保持するホルダ１００であって、一の方向に延びる帯状の底部１１０と、底部１１０の両側から延び、底部１１０の上方位置において連続する一対の斜辺部１３０とを備え、少なくともいずれか一方の斜辺部１３０は、その中央部に開口ＨＬを含み、開口ＨＬが設けられる斜辺部１３０は、外側に向って凸となる半環状の支持部１２０を含む。【選択図】図１
2017132482.tif 000002
【特許請求の範囲】
【請求項１】
容器を保持するホルダであって、
一の方向に延びる帯状の底部と、
前記底部の両側から延び、前記底部の上方位置において連続する一対の斜辺部と、
を備え、
少なくともいずれか一方の前記斜辺部は、その中央部に開口を含み、
前記開口が設けられる前記斜辺部は、外側に向って凸となる半環状の支持部を含む、
ホルダ。
【請求項２】
前記支持部によって囲まれる内側領域と前記開口とは連通している、請求項１に記載のホルダ。
【請求項３】
一対の前記斜辺部は、前記底部の中央部上方位置において連続し、いずれもその中央部に前記開口を含み、
前記斜辺部は、いずれも外側に向って凸となる半環状の前記支持部を含み、
前記支持部によって囲まれる内側領域と前記開口とは連通している、
請求項２に記載のホルダ。
【請求項４】
当該ホルダは、長方形の１枚の紙で形成され、
前記紙の前記一の方向となる長手方向の途中領域に短手方向に延びる折り曲げ線で折り畳まれており、
前記折り曲げ線を挟んで両側のいずれにも、打ち抜き領域が前記折り曲げ線側となるように、前記底部となる底部片、および、前記底部片の外側を取り囲む位置に、前記支持部となる支持部片が打ち抜かれており、
２つの前記底部片の中央部側の先端部同士が連結されている、請求項３に記載のホルダ。
【請求項５】
２つの前記底部片の中央部側の先端部同士が連結されることにより、前記底部の延びる方向に対して交差する方向に延びる斜辺部が設けられている、請求項４に記載のホルダ。
【請求項６】
前記底部の前記両端には、内側に向って凹む凹部領域を有し、
前記底部の前記両端の角部は、曲線領域を有している、
請求項１から請求項５のいずれか１項に記載のホルダ。
【請求項７】
前記両端の前記凹部領域のいずれにも、折曲中央線で折り畳まれた状態において、重なり合わない位置に、外側に向う凸部片が設けられている、請求項６に記載のホルダ。
【発明の詳細な説明】
【技術分野】
【０００１】
この発明は、紙製カップ、プラスチック製カップ、その他の携行に容易な容器を、持ち運びに便利なように起立させた状態を保持する、ホルダに関する。
【背景技術】
【０００２】
ファーストフード店、コーヒーショップなどにおいては、持ち帰りが可能なように、紙製カップ、プラスチック製カップが多く用いられている。また、様々な飲料製品においても、取扱いの容易性、軽量性、廃棄の容易性の観点から、紙製カップ、プラスチック製カップ等の容器が多く用いられている。
【０００３】
たとえば、実開平０３−２６７１１号公報（特許文献１）には、カップの底部を嵌め入れるための開口が設けられ、この開口でカップを起立させた状態を保持する、紙製トレーが開示されている。
【０００４】
また、実開平０３−９０８６８号公報（特許文献２）に、カップの底部領域を嵌め入れるための開口が設けられ、この開口でカップを起立させた状態を保持する、紙製トレーが開示されている。
【先行技術文献】
【特許文献】
【０００５】
【特許文献１】実開平０３−２６７１１号公報
【特許文献２】実開平０３−９０８６８号公報
【発明の概要】
【発明が解決しようとする課題】
【０００６】
近年、環境にやさしい商品の開発が重要であり、カップを起立させた状態で保持するホルダは、最終的に廃棄されるものであるから、ホルダに使用される材料の量は少ない方が好ましい。さらに、使用前においては、コンパクトに収納可能な形状を採用することで、収納、搬送等に要する費用の削減も可能となる。
【０００７】
この発明は上記課題に鑑みてなされたものであり、材料の使用量を少なくするとともに、収納、搬送等に要する費用の削減を可能とするホルダを提供することを目的とする。
【課題を解決するための手段】
【０００８】
本発明に基づくホルダは、容器を保持するホルダであって、一の方向に延びる帯状の底部と、上記底部の両側から延び、上記底部の上方位置において連続する一対の斜辺部と、を備え、少なくともいずれか一方の上記斜辺部は、その中央部に開口を含み、上記開口が設けられる上記斜辺部は、外側に向って凸となる半環状の支持部を含む。
【０００９】
本発明の一形態においては、上記支持部によって囲まれる内側領域と上記開口とは連通している。
【００１０】
本発明の一形態においては、一対の上記斜辺部は、上記底部の中央部上方位置において連続し、いずれもその中央部に上記開口を含み、上記斜辺部は、いずれも外側に向って凸となる半環状の上記支持部を含み、上記支持部によって囲まれる内側領域と上記開口とは連通している。
【００１１】
本発明の一形態においては、当該ホルダは、長方形の１枚の紙で形成され、上記紙の上記一の方向となる長手方向の途中領域に短手方向に延びる折り曲げ線で折り畳まれており、上記折り曲げ線を挟んで両側のいずれにも、打ち抜き領域が上記折り曲げ線側となるように、上記底部となる底部片、および、上記底部片の外側を取り囲む位置に、上記支持部となる支持部片が打ち抜かれており、２つの上記底部片の中央部側の先端部同士が連結されている。
【００１２】
本発明の一形態においては、２つの上記底部片の中央部側の先端部同士が連結されることにより、上記底部の延びる方向に対して交差する方向に延びる連結壁が設けられている。
【００１３】
本発明の一形態においては、上記底部の上記両端には、内側に向って凹む凹部領域を有し、上記底部の上記両端の角部は、曲線領域を有している。
【００１４】
本発明の一形態においては、上記両端の上記凹部領域のいずれにも、折曲中央線で折り畳まれた状態において、重なり合わない位置に、外側に向う凸部片が設けられている。
【発明の効果】
【００１５】
この発明によれば、カップを起立させた状態で保持することが可能であるとともに、容器として用いることも可能な構造を備える、ホルダの提供を可能とする。
【図面の簡単な説明】
【００１６】
【図１】実施の形態１におけるホルダの全体斜視図である。
【図２】実施の形態１におけるホルダの展開図である。
【図３】実施の形態１におけるホルダを折り畳んだ状態を示す図である。
【図４】実施の形態１におけるホルダにコーヒーカップを載置した状態を示す斜視図である。
【図５】実施の形態２におけるホルダの全体斜視図である。
【図６】実施の形態３におけるホルダの全体斜視図である。
【図７】実施の形態４におけるホルダの全体斜視図である。
【図８】実施の形態５におけるホルダの全体斜視図である。
【図９】実施の形態６におけるホルダの全体斜視図である。
【発明を実施するための形態】
【００１７】
本発明に基づいた一例における実施の形態について、以下、図面を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。図においては、実際の寸法比率では記載しておらず、構造の理解を容易にするために、一部比率を異ならせて記載している箇所を有する。
【００１８】
また、以下に示す実施の形態においては、シート材として厚紙を用いた場合について説明しているが、厚紙に限定されることなく、紙、樹脂、金属、または、これらの複合材料などを用いることができる。
【００１９】
また、一例としてコーヒーカップを保持する場合について説明しているが、コーヒーカップ５００に限定されず、飲料用として用いられるカップや、食品を保持するカップに対して適用してもよく、同等の形状を有する容器のホルダとして用いることができる。また、カップの外形が矩形形状であってもよい。
【００２０】
（実施の形態１：ホルダ１００）
図１から図４を参照して、本実施の形態におけるホルダ１００について説明する。図１は、ホルダ１００の全体斜視図、図２は、ホルダ１００の展開図、図３は、ホルダ１００を折り畳んだ状態を示す図、図４は、ホルダ１００にコーヒーカップ５００を載置した状態を示す斜視図である。
【００２１】
図１および図２を参照して、本実施の形態１におけるホルダ１００は、コーヒーカップ等の容器を保持するホルダであって、一の方向に延びる帯状の底部１１０と、この底部１１０の両側から延び、底部１１０の上方位置において連続する一対の斜辺部１３０，１３０とを備えている。
【００２２】
このホルダ１００は、略長方形形状の１枚の紙で形成され、この紙の一の方向となる長手方向の途中領域に短手方向に延びる折り曲げ線Ｂ１が設けられ、この折り曲げ線Ｂ１で折り畳み可能なように設けられている。
【００２３】
折り曲げ線Ｂ１を挟んで両側のいずれにも、打ち抜き領域が折り曲げ線Ｂ１側となるように、底部１１０となる底部片１１０ａが切断線Ｃ１により打ち抜き切り離され、底部片１１０ａの外側を取り囲む位置に、支持部１２１となる支持部片１２０が切断線Ｃ２により打ち抜き切り離されている。
【００２４】
２つの底部片１１０ａの中央部側の先端部１１０ａ１同士が連結されている。２つの底部片１１０ａの中央部側の先端部同士が折り曲げ線Ｂ２により折り曲げられ、接着剤等を用いて連結されることにより、底部１１０の延びる方向に対して交差する方向に延びる連結壁１１０Ａ１が設けられる。
【００２５】
一対の斜辺部１３０，１３０は、折り曲げ線Ｂ４により折り曲げられるとともに、底部の中央部上方位置における折り曲げ線Ｂ１において連続し、いずれもその中央部に開口ＨＬ１を含む。いずれの斜辺部１３０も、外側に向って凸となる半環状の支持部１２１を含み、支持部１２１は、折り曲げ線Ｂ３により外側に折り曲げられている。
【００２６】
その結果、支持部１２１によって囲まれる内側領域ＨＬ２と開口ＨＬ１とは連通することで、容器の支持領域ＨＬを構成している。また、いずれの斜辺部１３０にも、支持部１２１を、折り曲げ線Ｂ３に沿って外側への折り曲げを容易にするために、支持部１２１をつまむための開口Ｈ１が設けられている。
【００２７】
底部１１０の両端には、内側に向って凹む凹部領域１３１ａを有し、底部１１０の両端の角部は、曲線領域１３１を有している。さらに、両端の凹部領域１３１ａのいずれにも、折り曲げ線Ｂ１で折り畳まれた状態において、重なり合わない位置に、外側に向う凸部片１３２が設けられている。
【００２８】
本実施の形態１におけるホルダ１００によれば、図３を参照して、略長方形形状の１枚の紙で形成されており、折り曲げ線Ｂ１により二つ折りに折り畳むことにより、使用前の収納時においては、非常にコンパクトな外形サイズ、および、厚さとなる。その結果、ホルダ１００に要する材料コスト、搬送コストの削減を十分に実現することができる。
【００２９】
使用時には、図１に示す形態となり、図４に示すように、容器の支持領域ＨＬに容器としてのコーヒーカップ５００を２箇所に保持することを可能とする。また、ホルダ１００は、底部１１０を有していることから、コーヒーカップ５００を安定的に保持することが可能となる。また、底部１１０の延びる方向に対して交差する方向に延びる連結壁１１０Ａ１が設けられることで、仕切り壁となり、コーヒーカップ５００の移動を阻止することができる。
【００３０】
また、このホルダ１００にコーヒーカップ５００を保持させて状態で、プラスチックバッグに収容した場合、底部１１０の両端の角部には、曲線領域１３１が設けられていることから、コーヒーカップ５００の重みで底部１１０の両端の角部には力が加わるが、曲線領域１３１を設けておくことで、プラスチックバッグが破損することを抑制することができる。
【００３１】
なお、本実施の形態では、２つの底部片１１０ａの中央部側の先端部同士が折り曲げ線Ｂ２により折り曲げられ、接着剤等を用いて連結される構成を採用しているが、後述の実施の形態８で示す、切り込みを相互に係合させる連結構造を採用することも可能である。
【００３２】
（実施の形態２：ホルダ１００Ａ）
図５を参照して、本実施の形態におけるホルダ１００Ａについて説明する。図５は、ホルダ１００Ａの全体斜視図である。基本的な構成は、上記実施の形態１におけるホルダ１００と同じである。相違点は、上記実施の形態１におけるホルダ１００における支持部１２１の形状は略円形の形状であるが、本実施の形態におけるホルダ１００Ａにおける支持部１２１の形状は略矩形の形状である。
【００３３】
この構成によっても、上記実施の形態１におけるホルダ１００と同様の作用効果を得ることができる。また、容器の支持領域ＨＬの形状が略矩形形状になることから、容器がコーヒーカップ５００のように円形でなく矩形を有している場合には、より安定的に容器を保持することができる。なお、一方の領域に実施の形態１における形状、他方の領域に実施の形態２における形状を採用してもよい。
【００３４】
（実施の形態３：ホルダ１００Ｂ）
図６を参照して、本実施の形態におけるホルダ１００Ｂについて説明する。図６は、ホルダ１００Ｂの全体斜視図である。基本的な構成は、上記実施の形態１におけるホルダ１００と同じである。相違点は、上記実施の形態１におけるホルダ１００は、折り曲げ線Ｂ１を境にして両側に半環状の支持部１２１を設けることにより、容器の支持領域ＨＬを２箇所設ける構成を採用しているが、本実施の形態においては、折り曲げ線Ｂ１を境にして一方側に、支持部１２１を有する斜辺部１３０を設けて容器の支持領域ＨＬを形成しているが、折り曲げ線Ｂ１を境にして反対側には、斜辺部に相当する起立壁１３５を設けるようにしたものである。起立壁１３５には、底部片１１０ａとともに底部１１０を構成する底部片１１０ｂ、および、この底部片１１０ｂを切り離すことにより形成された開口ＨＬ３が設けられている。
【００３５】
この構成によっても、上記実施の形態１におけるホルダ１００と基本的には、同様の作用効果を得ることができる。保持すべきコーヒーカップ５００が一つしかない場合には、最適な形状である。
【００３６】
（実施の形態４：ホルダ１００Ｃ）
図７を参照して、本実施の形態におけるホルダ１００Ｃについて説明する。図７は、ホルダ１００Ｃの全体斜視図である。基本的な構成は、上記実施の形態３におけるホルダ１００Ｂと同じである。相違点は、本実施の形態におけるホルダ１００Ｃは、一枚の紙を用いて、上記実施の形態３におけるホルダ１００Ｂを、二つ並べる構成を採用したものである。
【００３７】
この構成によっても、上記実施の形態３におけるホルダ１００Ｂと、同様の作用効果を得ることができる。
【００３８】
なお、図７に示すように、二つのホルダ１００Ｂの間に切り取り線ＣＬ１を設けておくことで、使用状況に応じて切り離し、一つのホルダ１００Ｂとして用いることも可能である。
【００３９】
（実施の形態５：ホルダ１００Ｄ）
図８を参照して、本実施の形態におけるホルダ１００Ｄについて説明する。図８は、ホルダ１００Ｄの全体斜視図である。
【００４０】
本実施の形態における基本的な構成は、上記実施の形態１におけるホルダ１００と同じであるが、ホルダ１００Ｄは、一対の斜辺部１３０Ａ，１３０Ｂをそれぞれ構成する略長方形形状の２枚の紙を用いて形成されている。
【００４１】
斜辺部１３０Ａには、開口ＨＬ１を形成するとともに、底部１１０を構成する底部片１１０ａが打ち抜かれている。同様に、斜辺部１３０Ｂには、開口ＨＬ１を形成するとともに、底部１１０を構成する底部片１１０ａが打ち抜かれている。底部片１１０ａの先端部には切り込みＳａ１が形成され、底部片１１０ｂの先端部にも切り込みＳｂ１が形成されれている。切り込みＳａ１と切り込みＳｂ１とを相互に嵌め合せることで、底部片１１０ａと底部片１１０ｂとが連結された状態となる。
【００４２】
斜辺部１３０Ａの上部側には、半環状の支持部１２１Ａが設けられており、支持部１２１Ａによって囲まれる内側領域ＨＬ２が形成されている。支持部１２１Ａは外側に向けて折り曲げられており、開口ＨＬ１と内側領域ＨＬ２とにより、容器の支持領域ＨＬが形成されることとなる。
【００４３】
斜辺部１３０Ｂの上部側には、半環状の支持部１２１Ｂが設けられており、支持部１２１Ｂによって囲まれる内側領域ＨＬ２が形成されている。支持部１２１Ｂは外側に向けて折り曲げられており、開口ＨＬ１と内側領域ＨＬ２とにより、容器の支持領域ＨＬが形成されることとなる。
【００４４】
斜辺部１３０Ａと支持部１２１Ａとの間には、接続領域１４０Ａが設けられている。同様に、斜辺部１３０Ｂと支持部１２１Ｂとの間にも、接続領域１４０Ｂが設けられている。接続領域１４０Ａと接続領域１４０Ｂとを接着剤等を用いて固定することにより、ホルダ１００Ｄとしての形態が維持されることとなる。
【００４５】
以上の構成を備えるホルダ１００Ｄにおいても、実施の形態１と同様の作用効果を得ることができる。また、搬送時、使用前の収納時においては、切り込みＳａ１と切り込みＳｂ１とは相互に係合されておらず、斜辺部１３０Ａと斜辺部１３０Ｂとが折り畳まれた状態であり、非常にコンパクトな外形サイズ、および、厚さとなる。
【００４６】
また、ホルダ１００Ｄとして使用する際には、切り込みＳａ１と切り込みＳｂ１とを相互に係合させることで、容易に図８に示す形態を形成することを可能としている。
【００４７】
（実施の形態６：ホルダ１００Ｅ）
図９を参照して、本実施の形態におけるホルダ１００Ｅについて説明する。図９は、ホルダ１００Ｅの全体斜視図である。
【００４８】
本実施の形態における基本的な構成は、上記実施の形態５におけるホルダ１００Ｄと同じであるが、底部１１０の構成が、上記実施の形態５におけるホルダ１００Ｄと異なっている。本実施の形態におけるホルダ１００Ｅは、斜辺部１３０Ａと斜辺部１３０Ｂとは、その底部側において底辺部１５０で連結された構成が採用されている。よって、支持部１２１Ａ、底部片１１０ａを含む斜辺部１３０Ａ、底辺部１５０、底部片１１０ｂを含む斜辺部１３０Ｂ、および、支持部１２１Ｂは、一枚の紙で構成されている。
【００４９】
接続領域１４０Ａと接続領域１４０Ｂとが接着剤等を用いて固定されることにより、斜辺部１３０Ａ、斜辺部１３０Ｂ、および、底辺部１５０により三角形状を形成される。底辺部１５０の上に、底部片１１０ａおよび底部片１１０ｂが折り畳まれる。底部片１１０ａおよび底部片１１０ｂの先端部同士は、実施の形態１の場合と同様に、先端部同士が折り曲げ線Ｂ２により折り曲げられ、接着剤等を用いて連結されることにより、底部１１０の延びる方向に対して交差する方向に延びる連結壁１１０Ａ１が設けられる。なお、実施の形態８の場合と同様に、切り込みを相互に係合させる連結構造を採用することも可能である。
【００５０】
また、底辺部１５０の中央部に折り曲げ線Ｂ５を設けておくことで、未使用時には折り曲げ線Ｂ５を上方に向けて折り曲げることにより、ホルダ１００Ｅを折り畳んでおくことができる。
【００５１】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００５２】
１００，１００Ａ，１００Ｂ，１００Ｃ，１００Ｄ，１００Ｅ  ホルダ、１１０  底部、１１０Ａ１  連結壁、１１０ａ  底部片、１１０ａ１  先端部、１１０ｂ  底部片、１２０  支持部片、１２１，１２１Ａ，１２１Ｂ  支持部、１３０，１３０Ａ，１３０Ｂ  斜辺部、１３１  曲線領域、１３１ａ  凹部領域、１３２  凸部片、１３５  起立壁（斜辺部）、１５０  底辺部、５００  コーヒーカップ、Ｂ１，Ｂ２，Ｂ３，Ｂ４，Ｂ５  折り曲げ線、Ｃ１，Ｃ２  切断線、ＨＬ  支持領域、Ｈ１，ＨＬ１，ＨＬ３  開口、ＨＬ２  内側領域、Ｓａ１，Ｓｂ１  切り込み。
【図１】
2017132482.tif 000003
【図２】
2017132482.tif 000004
【図３】
2017132482.tif 000005
【図４】
2017132482.tif 000006
【図５】
2017132482.tif 000007
【図６】
2017132482.tif 000008
【図７】
2017132482.tif 000009
【図８】
2017132482.tif 000010
【図９】
2017132482.tif 000011